(57)【要約】【課題】リモコン装置からの受信と人体検知センサの受信という、受信窓部の用途を明確にすることができる衛生装置を提供する。【解決手段】人体検知センサ窓２７とリモコン受信窓２６は同一部材（スモークトップ１）で構成されているが、ケースカバー２によって窓部が区分けされているので、受信窓部の用途を明確にすることができる。また、各窓の近傍に名称を表記したり、使用マニュアルに名称を明記するなどすれば、使用勝手が更に向上する。【選択図】　図２
2004116250.tif 000002
【特許請求の範囲】
【請求項１】
衛生装置内に配設される複数のセンサの発信部及び／又は受信部の前方に１つの窓部を備えた衛生装置において、前記複数のセンサの発信部及び／又は受信部の用途別に前記窓部を区分けする区分け手段を備えたことを特徴とする衛生装置。
【請求項２】
請求項１に記載の衛生装置において、前記区分け手段は、ケースカバーであることを特徴とする衛生装置。
【請求項３】
請求項１に記載の衛生装置において、前記区分け手段は、表面シートであることを特徴とする衛生装置。
【請求項４】
請求項１に記載の衛生装置において、前記区分け手段は、前記窓部への印刷であることを特徴とする衛生装置。
【請求項５】
衛生装置内に配設される複数のセンサの発信部及び／又は受信部の前方に１つの表面シートを備えた衛生装置において、前記複数のセンサの発信部及び／又は受信部の用途別に前記表面シートを区分けする区分け手段を備えたことを特徴とする衛生装置。
【発明の詳細な説明】
【０００１】
【発明の属する技術分野】
本発明は使用者の有無を検知するセンサ及び／又はリモコン受信部を備えた衛生装置に関する。特に局部衛生洗浄装置、自動便蓋・便座開閉装置、大便器自動洗浄装置など、便座使用者の有無を検知する人体検出手段を有する衛生装置に好適である。また、自動水洗、小便器自動洗浄装置、自動手指乾燥・殺菌・消毒器等にも好適である。
【０００２】
【従来の技術】
従来のこの種の衛生装置としては、特許文献１に示すようなものがあり、以下、図を用いて説明する。図６および図７において、リモコン装置２５の送信部および人体検知センサ送信部１０から夫々発せられる赤外線等の信号は、受信窓部２４に臨んで配置されたリモコン受信部１２及び人体検知センサ受信部１１で夫々受信される。これにより局部衛生洗浄装置２０のアクチュエーターが作動し、人体３０の局部洗浄のための噴出ノズル２３から洗浄水を噴出させるなど、予め定められた動作が行なわれる。ここで、図７に示すように、リモコン受信部１２と人体検知センサ受信部１１を近傍に配置したことにより、これらの受信のための窓部としては受信窓部２４が一つあればよいため、装置構成上の煩雑さが解消される。
【０００３】
【特許文献１】
実開平３−７２９７８号公報
【０００４】
【発明が解決しようとする課題】
しかしながら上記のような構成では、受信窓部が大きくなるにも拘らず、その用途が明確ではないため、無駄に大きい窓と考えられたりするなど、使用勝手が悪いという問題があった。
【０００５】
本発明は、上記課題を解決するためになされたもので、本発明の目的は、リモコン装置からの受信と人体検知センサの受信という、受信窓部の用途を明確にすることができる衛生装置を提供することにある。
【０００６】
【課題を解決するための手段及びその作用・効果】
上記課題を解決するために、請求項１の衛生装置では、衛生装置内に配設される複数のセンサの発信部及び／又は受信部の前方に１つの窓部を備えた衛生装置において、前記複数のセンサの発信部及び／又は受信部の用途別に前記窓部を区分けする区分け手段を備えた。この発明によれば、区分け手段によって窓部が区分けされるので、受信窓部の用途を明確にすることができる。また、各窓の近傍に名称を表記したり、使用マニュアルに名称を明記するなどすれば、使用勝手が更に向上する。
【０００７】
請求項２ないし請求項４に記載の衛生装置では、請求項１に記載の衛生装置において、前記区分け手段は、ケースカバーや表面シート、あるいは窓部への印刷であることとした。これらの場合、簡単な構成で区分け手段を設置できる。
【０００８】
請求項５では、衛生装置内に配設される複数のセンサの発信部及び／又は受信部の前方に１つの表面シートを備えた衛生装置において、前記複数のセンサの発信部及び／又は受信部の用途別に前記表面シートを区分けする区分け手段を備えた。この場合も、区分け手段によって表面シートが区分けされるので、表面シートの用途を明確にすることができる。
【０００９】
【発明の実施の形態】
以下、本発明の実施の形態を図面に基づいて説明する。
【００１０】
図１において、２０は局部衛生洗浄装置で、本体２１と便座２２と噴出ノズル２３とを有し、洗浄水の通路上に設けられた電磁バルブの開閉に基づいて噴出ノズル２３から洗浄水を噴出し、人体３０の局部を洗浄するようになっている。この局部洗浄衛生洗浄装置２０は、リモコン装置２５を有している。
【００１１】
図２に示すように、リモコン装置２５から送信されるパルス状に信号化された赤外線は、リモコン受信窓２６に臨んで配置されたリモコン受信部１２で受信される。また、便座２２に腰掛けた人体３０の有無を検知するための人体検知センサは、送信部１０および受信部１１からなり、これらは人体検知センサ窓２７に臨んで配置されている。人体検知センサ送信部１０からは、リモコン装置２５から送信される赤外線信号とは別種のパルス状に信号化された赤外線が人体３０に向けて発せられ、その反射光が人体検知センサ受信部１１で受信される。
【００１２】
ここで、人体検知センサ窓２７とリモコン受信窓２６は同一部材（スモークトップ１）で構成されているが、ケースカバー２によって窓部が区分けされているので、受信窓部の用途を明確にすることができる。また、各窓の近傍に名称を表記したり、使用マニュアルに名称を明記するなどすれば、使用勝手が更に向上する。
【００１３】
なお、スモークトップ１（窓部）の区分けは、ケースカバー２に限らず、例えば、図３に示すように表面シート３により行なってもよいし、図４に示すようにスモークトップ１への印刷（４）によってもよい。また、図５に示すようにスモークトップ１がない場合でも、表面シート３により区分けすることができる。これらの方法によれば、簡単な構成で区分け手段を設置できる。
【００１４】
以上、本発明の実施例を述べたが、これはあくまでも一例であり、本発明の要旨を変更しない限り、種々の変形が可能である。また、実施例として局部衛生洗浄装置を例にあげて説明したが、もちろん他の装置にこの発明を適用することができ、自動便蓋・便座開閉装置、大便器自動洗浄装置など、便座使用者の有無を検知する人体検出手段を有する衛生装置に好適である。また、自動水洗、小便器自動洗浄装置、自動手指乾燥・殺菌・消毒器等にも適用可能である。
【図面の簡単な説明】
【図１】本発明の実施例である局部衛生洗浄装置の構成説明図
【図２】本発明のスモークトップ部の構成説明図（ケースカバー）
【図３】同構成説明図（表面シート）
【図４】同構成説明図（印刷）
【図５】本発明の表面シート部の構成説明図
【図６】従来の局部衛生洗浄装置の構成説明図
【図７】従来のスモークトップ部の構成説明図
【符号の説明】
１…スモークトップ
２…ケースカバー
３…表面シート
４…印刷
１０…人体検知センサ送信部
１１…人体検知センサ受信部
１２…リモコン受信部
２０…局部衛生洗浄装置
２１…本体
２２…便座
２３…噴出ノズル
２４…受信窓部
２５…リモコン装置
２６…リモコン受信窓
２７…人体検知センサ窓
３０…人体
【図１】
2004116250.tif 000003
【図２】
2004116250.tif 000004
【図３】
2004116250.tif 000005
【図４】
2004116250.tif 000006
【図５】
2004116250.tif 000007
【図６】
2004116250.tif 000008
【図７】
2004116250.tif 000009